(57)【要約】【課題】  取付ねじを差し込んで固定することができる木製などの垂直な取付面を有する窓枠がない場合であっても、強固に取付ねじで取り付けることができるカーテン用ブラケットを提供する。【解決手段】  垂直な壁面に接する背板部２と、背板部２の下端より直角に曲げられた基部３とが備えられ、背板部２と基部３の合わせ目に傾斜座４が設けられ、この傾斜座４面に対して垂直に形成された基部に対して傾斜した固定ねじ通し孔５が設けられ、背板部２の略中央部に形成されカーテンレールの支持部を固定するための固定孔６と、背板部２の頂部周辺と基部付近に形成された取付孔９とを備えたベースプレート１と、ベースプレート１の固定孔６に固定されるカーテンレール１１の支持部７とから構成である。【選択図】      図１
2006334097.tif 000002
【特許請求の範囲】
【請求項１】
カーテンを吊り下げる支持棒を支持するブラケットを壁面に固定するための背面板を備えたベースプレートにおいて、
前記ブラケットを取付ける壁面の段差を形成する突部に載置する基部と、この壁面に接するように垂直に立設してなる背面板とから形成されとともに壁面に対して所定の角度傾斜した状態で取付ねじが挿入可能な傾斜したねじ孔が穿設されていることを特徴とするベースプレート。
【請求項２】
カーテンを吊り下げる支持棒を支持するブラケットを壁面に固定するための背面板と、この背面板の下端より直角に曲げられた基部とを備えるとともに取付壁面に対して所定の角度傾斜して形成されているねじ孔が穿設されたベースプレートを壁面に固定する際に、前記ブラケットを取付ける壁面の段差を形成する突部上に前記ベースプレートの基部を載置し、取付壁面に対して所定の角度傾斜した状態のねじ孔に取付けねじを螺入してベースプレートを壁面に固定することを特徴とするカーテン用ブラケットの固定方法。
【請求項３】
垂直な壁面に接する背板部と、前記背板部の下端より直角に曲げられた基部とからなるベースプレートを有するカーテン用ブラケットにおいて、前記背板部と基部との合わせ目に傾斜座を備え、この傾斜座面に対して垂直に形成された固定ねじ通し孔が前記傾斜座に設けられ、前記背板部の略中央部に形成された固定孔を備えたベースプレートと、
前記ベースプレートの固定孔に挿入固定されるカーテンレールを支え保持する部材の支持部と、
から構成されていることを特徴とするカーテン用ブラケット。
【請求項４】
垂直な壁面に接する背板部と、前記背板部の下端より直角に曲げられた基部とが備えられるベースプレートを有するカーテン用ブラケットにおいて、
前記背板部と基部の合わせ目に傾斜座を備え、この傾斜座面に対して垂直に形成された固定ねじ通し孔が前記傾斜座に設けられ、前記背板部の略中央部に形成されカーテンレールを支え保持する支持部を挿入固定するための固定孔と、前記背板部の頂部周辺と基部付近に形成された取付孔とを備えたベースプレートを有することを特徴とするカーテン用ブラケット。
【請求項５】
垂直な壁面に接する背板部と、前記背板部の下端より直角に曲げられた基部とが備えられるベースプレートを有するカーテン用ブラケットにおいて、
前記背板部と基部の合わせ目に垂直方向に対して３０度乃至６０度の角度をなす肉厚の傾斜座を備え、この傾斜座面に対して垂直に形成された固定ねじ通し孔が前記傾斜座に設けられ、前記背板部の略中央部に形成されカーテンレールを支える部材の支持部を挿入固定するための固定孔と、前記背板部の頂部周辺と基部付近に形成された取付孔とを備えたベースプレートと、
前記ベースプレートの固定孔に固定されるカーテンレールを支える部材に凹部が形成された支持部と、から構成されていることを特徴とするカーテン用ブラケット。
【発明の詳細な説明】
【技術分野】
【０００１】
本発明は、窓の上部に設置されカーテンレール等を支持するためのカーテン用ブラケットに関する。
【背景技術】
【０００２】
従来、カーテンレールを支持するためのカーテン用ブラケットは、窓枠にねじで固定するのが通常のカーテン用ブラケットであった。この種のカーテン用ブラケットとして、特開２００２−２０９７１８号公報（特許文献１）に示すようなカーテン用ブラケットがあった。このカーテン用ブラケットは、垂直な取付面を有する窓枠に対して直角（水平）方向にカーテン用ブラケットをねじで固定するものである。
【特許文献１】特開２００２−２０９７１８号公報第１頁
【発明の開示】
【発明が解決しようとする課題】
【０００３】
しかしながら、上述した従来のカーテン用ブラケットを取り付けるためには、ねじが差し込める木製等の垂直な取付面を有する窓枠を必要とするが、最近都市部においてマンションが普及してきており、このマンションの窓側の壁はコンクリート製であり、窓枠は図２に示すように、コンクリート製の下端部に取り付けられているので、ねじを差し込んで固定する垂直な取付面がなく、従来のブラケットが取り付けられないという問題が発生していた。
【０００４】
本発明は、上述した従来の問題に鑑みなされたもので、取付ねじを差し込んで固定することができる木製などの垂直な取付面を有する窓枠がない場合であっても、強固に取付ねじで取り付けることができるカーテン用ブラケットを提供するものである。
特に、コンクリートの梁が室内に突出し、段差を形成している窓枠に適するカーテン用ブラケットを提供することである。
【課題を解決するための手段】
【０００５】
本発明は、上記課題を解決するため、カーテンを吊り下げる支持棒を支持するブラケットを壁面に固定するための背面板を備えたベースプレートにおいて、前記ブラケットを取付ける壁面の段差を形成する突部に載置する基部と、この壁面に接する垂直な背面板とからなり、壁面に対して所定の角度傾斜した状態で取付ねじが挿入可能なねじ孔が穿設されているベースプレートの構成とする。
【０００６】
前記本発明の課題は、垂直な壁面に接する背板部と、前記背板部の下端より直角に曲げられた基部とからなるベースプレートを有するカーテン用ブラケットにおいて、前記背板部と基部の合わせ目に傾斜座を備え、この傾斜座面に対して垂直に形成された固定ねじ通し孔が前記傾斜座に設けられ、前記背板部の略中央部に形成された固定孔を備えたベースプレートと、前記ベースプレートの固定孔に挿入固定されるカーテンレールを支え保持する部材の支持部と、からなるカーテン用ブラケットによって達成できる。
【０００７】
また、本発明の前記課題は、前記背板部と基部の合わせ目に傾斜座を備え、この傾斜座面に対して垂直に形成された固定ねじ通し孔が前記傾斜座に設けられ、前記背板部の略中央部に形成されカーテンレールを支え保持する支持部を挿入固定するための固定孔と、前記背板部の頂部周辺と基部付近に形成された取付孔とを備えたベースプレートを有するカーテン用ブラケットの構成によって達成できる。
【０００８】
さらに、本発明の前記課題は、前記背板部と基部の合わせ目に垂直方向に対して３０度乃至６０度の角度をなす肉厚の傾斜座を備え、この傾斜座面に対して垂直に形成された固定ねじ通し孔が前記傾斜座に設けられ、前記背板部の略中央部に形成されカーテンレールを支える部材の支持部を挿入固定するための固定孔と、前記背板部の頂部周辺と基部付近に形成された取付孔とを備えたベースプレートと、前記ベースプレートの固定孔に固定されるカーテンレールを支える部材に凹部が形成された支持部と、から構成されるカーテン用ブラケットによって達成できる。
【発明の効果】
【０００９】
本発明は、上述のように構成されたことにより、ねじが差し込んで固定する木製の垂直な取付面を有する窓枠がない場合であっても、傾斜座面より取付ねじを固定ねじ孔に沿って斜め方向に差し込んで水平な下側の窓枠にカーテン用ブラケットを取り付けることができる。
【００１０】
また、ねじが差し込んで固定する木製の垂直な取付面を有する場合は、傾斜座面より取付ねじを斜め方向に差し込んで水平な下側の窓枠に固着すると共に垂直な壁にも取付ねじで固着できるので、一層強固にカーテン用ブラケットを取り付けができるものである。
【発明を実施するための最良の形態】
【００１１】
本発明に係るカーテン用ブラケットの最良の形態について図面を参照して説明する。
図１は本発明に係るカーテン用ブラケットの構成を示す分解斜視図、図２は図１のカーテン用ブラケットを窓枠に取り付けた状態を示す断面図、図３は図１のカーテン用ブラケットの使用状態を示す分解斜視図、図４は図１のＸーＸ断面図、図２は図１のカーテン用ブラケットを窓枠に取り付けた状態の実施例を示す断面図である。
【００１２】
本発明に係るカーテン用ブラケットＡは、図１乃至図３に示すように、垂直な壁Ｗに接する背板部２と、この背板部２の下端より直角に曲げられた基部３とを備えたベースプレート１の背板部２と基部３の合わせ目に傾斜座４を形成し、この傾斜座４に、その表面、すなわち、傾斜座面に対して垂直に形成された固定ねじ通し孔５が穿設されている。このベースプレート１の背板部２の略中央部には従来のカーテンレールを支え支持する支持部７を固定する固定孔６が穿設されている。この支持部７は固定部材８によりベースプレート１に固定されるものである。
【００１３】
ベースプレート１は亜鉛ダイキャスト等から形成され、表面は腐食防止と美観のためにニッケルメッキが施されている。このベースプレート１に設けられた基底部の傾斜座４は、図４に示すように、背板部２の垂直方向に対して３０〜６０度の傾斜角度θをなすように形成されている。この傾斜座４面に対して垂直に形成された固定ねじ通し孔５の中心線の角度も同じ傾斜角度θとなり、当然のことながら取付ねじ１０の角度も同じ傾斜角度θとなる。この傾斜角度θは３０度より小さくなれば、取付ねじ１０の締着力の垂直成分が小さくなるので、窓枠Ｂに対する取り付けが弱くなってしまう。
【００１４】
一方、この傾斜角度θは６０度より大きくなれば、取付ねじ１０の締着力の垂直成分が大きくなり、窓枠Ｂに対する取り付けが強くなるが、反対に水平成分が弱くなるので、壁Ｗに対する押付力が弱くなる。そのため、カーテンＣを装着した場合に、支持部７を固定する固定孔６に時計方向のモーメントが生ずるので、ベースプレート１の上方が壁Ｗから剥がれ易くなるものである。さらに、このベースプレート１は支持部７を固定後に窓枠Ｂに取り付けられるので、この傾斜角度θは６０度より大きくなれば、取付ねじ１０を取り付ける場合に支持部７が邪魔になり不都合になる。
【００１５】
また、このベースプレート１には、図５に示すように、従来と同様に垂直な壁にも取り付け可能なように、背板部２の頂部周辺に１箇所と基部３付近に２箇所の取付孔９，９，９が形成されている。これらの取付孔９，９，９は、取付ねじ１０により壁Ｗに取り付けられた場合に、取付ねじ１０の頭が表面から出ないように、孔の周囲にテーパが形成されている。同様に、固定ねじ通し孔５や固定孔６、及び取付孔９の孔の周囲にもテーパが形成されている。
【００１６】
このベースプレート１の固定孔６に挿入固定される支持部７は、図１または図２に示すように、支持体７にカーテンレール１１を取り付ける凹部７ａが形成されており、基端側に固定部材８を固着するための挿入穴７ｂが形成されている。また先端側には取り付けるカーテンレール１１のデザインに合わせて飾りを施した頭部７ｃが形成されている。このように構成された支持部７とベースプレート１は固定部材８により固定されてカーテン用ブラケットＡとなるものである。この支持体７は固定部材８に嵌合した後、固定キー１４によって位置決めされる。
【００１７】
上述のように構成されたカーテン用ブラケットＡは、図２に示すように、垂直な壁Ｗに背板部３を接するようにして窓枠Ｂに載置して取付ねじ１０で窓枠Ｂに螺着するものである。このようにして、窓枠Ｂに取り付けられたカーテン用ブラケットＡは、図３に示すように、ランナーが装着されたカーテンレール１１が取り付けられ、このランナー１２にカーテンＣが取り付けられるものである。
【００１８】
本発明のカーテン用ブラケットＡは、上述のように構成されたことにより、取付ねじ１０が差し込んで固定する木製の垂直な取付面を有する窓枠ｂがない場合であっても、傾斜座４より取付ねじ１０を斜め方向に差し込んで水平な下側の窓枠Ｂにカーテン用ブラケットを取り付けることができる。この表面にカバー１３を嵌合して取付ねじ１０などの表面を被覆することができる。
【００１９】
また、取付ねじ１０を差し込んで固定する木製の垂直な取付面を有する場合は、傾斜座４の傾斜面より取付ねじを斜め方向に差し込んで水平な下側の窓枠Ｂに固着すると共に垂直な壁Ｗにも取付ねじで固着できるので、一層強固にカーテン用ブラケットを取り付けができる
ものである。
【図面の簡単な説明】
【００２０】
【図１】本発明に係るカーテン用ブラケットの構成を示す分解斜視図である。
【図２】図１のカーテン用ブラケットを窓枠に取り付けた状態を示す断面図である。
【図３】図１のカーテン用ブラケットの使用状態を示す分解斜視図である。
【図４】図１のＸーＸ断面図である。
【図５】図１のカーテン用ブラケットを窓枠に取り付けた状態の実施例を示す断面図である。
【符号の説明】
【００２１】
Ａ      カーテン用ブラケット
Ｂ      窓枠
Ｃ      カーテン
θ      傾斜角度
１      ベースプレート
２      背板部
３      基部
４      傾斜座
５      固定ねじ通し孔
６      固定孔
７      支持部
７ａ    支持体
７ａ    凹部
７ｃ    ねじ穴
７ｄ    頭部
８      固定部材
９      取付孔
１０      取付ねじ
１１      カーテンレール
１２      ランナー
１３      カバー
【図１】
2006334097.tif 000003
【図２】
2006334097.tif 000004
【図３】
2006334097.tif 000005
【図４】
2006334097.tif 000006
【図５】
2006334097.tif 000007